(57)【特許請求の範囲】
【請求項１】
弾性体で振動可能に支持された振動テーブルと、
この振動テーブルに平行に取り付けられた４本の回転軸と、
この４本の回転軸の内の２本にそれぞれ取り付けられた第１質量の第１偏心錘と、
前記４本の回転軸の内の残りの２本にそれぞれ取り付けられた、前記第１偏心錘の質量と異なる第２質量の第２偏心錘と、
前記４本の回転軸を別々に回転させる４つの駆動機構とを備えた振動装置において、
前記第１質量は前記第２質量よりも大きく、
前記２つの第１偏心錘の間に、前記２つの第２偏心錘が配置されている、
ことを特徴とする振動装置。
【請求項２】
請求項１に記載の振動装置において、
前記各駆動機構は、対応する前記回転軸の回転数を変化させることができる、
ことを特徴とする振動装置。
【発明の詳細な説明】
【０００１】
【発明の属する技術分野】
この発明は、型枠を載置、固定する振動テーブルに振動を与え、型枠内へ投入したコンクリートを締め固めてコンクリート二次製品を製造するのに好適な振動装置に関するものである。
【０００２】
【従来の技術】
上記した振動装置として、弾性体で振動可能に支持された振動テーブルに取り付けた４本の回転軸に同じ質量の偏心錘をそれぞれ取り付け、４本の回転軸を２本ずつの２対とし、各対の回転軸を互いに反対方向へ１つの駆動機構で同期させて回転させるとともに、各偏心錘を個別に回転軸を中心にして回動、変位させることのできる錘位置可変機構を備えたものが提案されている。
このように構成された振動装置は、偏心錘を錘位置可変機構で変位させることにより、型枠に無段階の振動を与えることができる。
【０００３】
【発明が解決しようとする課題】
しかしながら、４本の回転軸を同期させて回転させるために同期機構を必要とし、この同期機構の構成が複雑で、駆動機構の構成が制約されるため、簡単な構成の振動装置とすることができなかった。
【０００４】
この発明は、上記したような不都合を解消するためになされたもので、簡単な構成で所期の目的を達成することのできる振動装置を提供するものである。
【０００５】
【課題を解決するための手段】
この発明は、弾性体で振動可能に支持された振動テーブルと、この振動テーブルに平行に取り付けられた４本の回転軸と、この４本の回転軸の内の２本にそれぞれ取り付けられた第１質量の第１偏心錘と、４本の回転軸の内の残りの２本にそれぞれ取り付けられた、第１偏心錘の質量と異なる第２質量の第２偏心錘と、４本の回転軸を別々に回転させる４つの駆動機構とを備えた振動装置において、第１質量は第２質量よりも大きく、２つの第１偏心錘の間に２つの第２偏心錘を配置したものである。
そして、各駆動機構は対応する回転軸の回転数を変化できるのが望ましい。
【０００６】
【発明の実施の形態】
以下、この発明の実施形態を図に基づいて説明する。
図１はこの発明の振動装置の一実施形態を示す、振動テーブルを取り除いた状態の平面図、図２は図１に示した振動装置の、支持フレーム、コイルスプリング、および駆動機構の一部を省略した正面図、図３は図１に示した振動装置の、支持フレーム、コイルスプリングおよび駆動機構の一部を省略した右側面図、図４は加振機構の構成を示す説明図、図５（ａ），（ｂ）は各偏心変位錘の変位状態を示す説明図、図６は加振機構の加振力を示す図である。
【０００７】
これらの図において、１１Ｌ，１１Ｒは基礎Ｂに固定具１２で固定されたベースフレーム、１３Ｆ，１３Ｂはベースフレーム１１Ｌ，１１Ｒ同士を連結する連結フレーム、１４ＬＦ，１４ＬＢ，１４ＲＦ，１４ＲＢはベースフレーム１１Ｌ，１１Ｒに固定された支持フレーム、１５ＬＦ，１５ＬＢはベースフレーム１１Ｌの左側の基礎Ｂに固定具１２で固定された固定台、１５ＲＦ，１５ＲＢはベースフレーム１１Ｒの右側の基礎Ｂに固定具１２で固定された固定台、１６は弾性体としてのコイルスプリングを示し、このコイルスプリング１６は、一端が支持フレーム１４ＬＦ，１４ＬＢ，１４ＲＦ，１４ＲＢに取り付けられ、他端が、振動可能に支持する振動テーブル１７に取り付けられている。
【０００８】
２１Ｌ（２１Ｒ）は振動テーブル１７の下面に取り付けられた加振機構を示し、振動テーブル１７の下面に取り付けられる平面視ロ型のフレーム２２Ｌ（２２Ｒ）と、このフレーム２２Ｌ（２２Ｒ）に平行にベアリング２３を介して回転可能に取り付けられた回転軸２４Ｌ１，２４Ｌ２（２４Ｒ１，２４Ｒ２）と、回転軸２４Ｌ１（２４Ｒ１）に取り付けられた第１質量の第１偏心錘２５Ｌ１（２５Ｒ１）と、回転軸２４Ｌ２（２４Ｒ２）に取り付けられた第２質量の第２偏心錘２５Ｌ２（２５Ｒ２）と、第１偏心錘２５Ｌ１（２５Ｒ１）を挟むように回転軸２４Ｌ１（２４Ｒ１）に取り付けられた第１仕切材２６Ｌ１（２６Ｒ１）と、第２偏心錘２５Ｌ２（２５Ｒ２）を挟むように回転軸２４Ｌ２（２４Ｒ２）に取り付けられた第１仕切部材２６Ｌ２（２６Ｒ２）と、各第１仕切部材２６Ｌ１（２６Ｒ１）の外側面に取り付けられた（設けられた）第１ストッパ２７Ｌ１（２７Ｒ１）と、各第２仕切部材２６Ｌ２（２６Ｒ２）の外側面に取り付けられた（設けられた）第２ストッパ２７Ｌ２（２７Ｒ２）と、第１仕切部材２６Ｌ１（２６Ｒ１）に回動可能に取り付けられ、第１ストッパ２７Ｌ１（２７Ｒ１）に衝合して停止する第３質量の第１偏心変位錘２８Ｌ１（２８Ｒ１）と、第２仕切部材２６Ｌ２（２６Ｒ２）に回動可能に取り付けられ、第２ストッパ２７Ｌ２（２７Ｒ２）に衝合して停止する第４質量の第２偏心変位錘２８Ｌ２（２８Ｒ２）と、回転軸２４Ｌ１，２４Ｌ２（２４Ｒ１，２４Ｒ２）に取り付けられたプーリ２９Ｌ１，２９Ｌ２（２９Ｒ１，２９Ｒ２）とで構成されている。
【０００９】
上記した回転軸２４Ｌ１，２４Ｌ２，２４Ｒ１，２４Ｒ２は、同一形状で、同一水平面に平行に配置するのが望ましい。
そして、第１偏心錘２５Ｌ１，２５Ｒ１は第２偏心錘２５Ｌ２，２５Ｒ２よりも質量が大きく、両者は、偏心錘の質量と、回転中心からの偏心量との積で少なくとも１．５倍程度の差があるのが望ましい。
【００１０】
さらに、第１ストッパ２７Ｌ１，２７Ｒ１は、図５（ａ）に示すように、回転軸２４Ｌ１が時計方向へ回転し、回転軸２４Ｒ１が反時計方向へ回転した場合、第１偏心錘２５Ｌ１と第１偏心変位錘２８Ｌ１とによる合成加振力と、第１偏心錘２５Ｒ１と第１偏心変位錘２８Ｒ１とによる合成加振力とが等しく、図６の曲線Ａとなるように、また、図５（ｂ）に示すように、回転軸２４Ｌ１が反時計方向へ回転し、回転軸２４Ｒ１が時計方向へ回転した場合、第１偏心錘２５Ｌ１と第１偏心変位錘２８Ｌ１とによる合成加振力と、第１偏心錘２５Ｒ１と第１偏心変位錘２８Ｒ１とによる合成加振力とが等しく、図６の曲線Ｂとなるように、設けられている。
また、第２ストッパ２７Ｌ２，２７Ｒ２は、図５（ａ）に示すように、回転軸２４Ｌ２が時計方向へ回転し、回転軸２４Ｌ２が反時計方向へ回転した場合、第２偏心錘２５Ｌ２と第２偏心変位錘２８Ｒ２とによる合成加振力と、第２偏心錘２５Ｒ２と第２偏心変位錘２８Ｒ２とによる合成加振力とが等しく、図６の曲線Ｃとなるように、また、図５（ｂ）に示すように、回転軸２４Ｌ２が反時計方向へ回転し、回転軸２４Ｒ２が時計方向へ回転した場合、第２偏心錘２５Ｌ２と第２偏心変位錘２８Ｌ２とによる合成加振力と、第２偏心錘２５Ｒ２と第２偏心変位錘２８Ｒ２とによる合成加振力とが等しく、図６の曲線Ｄとなるように、設けられている。
【００１１】
３１ＬＦ（３１ＬＢ，３１ＲＦ，３１ＲＢ）は駆動機構を示し、固定台１５ＬＦ（１５ＬＢ，１５ＲＦ，１５ＲＢ）に取り付けられたモータ３２ＬＦ（３２ＬＢ，３２ＲＦ，３２ＲＢ）と、このモータ３２ＬＦ（３２ＬＢ，３２ＲＦ，３２ＲＢ）に取り付けられたプーリ３３ＬＦ（３３ＬＢ，３３ＲＦ，３３ＲＢ）と、プーリ３３ＬＦ（３３ＬＢ，３３ＲＦ，３３ＲＢ）とプーリ２９Ｌ２（２９Ｌ１，２９Ｒ２，２９Ｒ１）とに張架されたベルト（Ｖベルト）３４ＬＦ（３４ＬＢ，３４ＲＦ，３４ＲＢ）とで構成されている。
【００１２】
なお、駆動機構３１ＬＦと駆動機構３１ＲＦとは、回転軸２４Ｌ２，２４Ｒ２を互いに反対方向へほぼ同じ回転数で回転させる。
また、駆動機構３１ＬＢと駆動機構３１ＲＢとは、回転軸２４Ｌ１，２４Ｒ１を互いに反対方向へほぼ同じ回転数で回転させる。
そして、回転軸２４Ｌ１，２４Ｌ２，２４Ｒ１，２４Ｒ２を同時に回転させる場合、回転軸２４Ｌ１，２４Ｒ１と、回転軸２４Ｌ２，２４Ｒ２とを、５００ｒｐｍ以上の回転数差で回転させるのが望ましい。
【００１３】
次に、動作について説明する。
まず、図５（ａ）に示すように、駆動機構３１ＬＦで回転軸２４Ｌ２を時計方向へ回転させ、駆動機構３１ＬＢで回転軸２４Ｌ１を時計方向へ回転させるとともに、駆動機構３１ＲＦで回転軸２４Ｒ２を反時計方向へ回転させ、駆動機構３１ＲＢで回転軸２４Ｒ１を反時計方向へ回転させる。
そして、回転軸２４Ｌ１と回転軸２４Ｒ１とをほぼ同じ回転数で回転させるとともに、回転軸２４Ｌ２と回転軸２４Ｒ２とをほぼ同じ回転数で回転させる。
【００１４】
このように回転軸２４Ｌ１を時計方向へ回転させると、図５（ａ）に示すように、第１偏心変位錘２８Ｌ１は第１ストッパ２７Ｌ１に衝合して第１偏心錘２５Ｌ１とともに回転し、図６の曲線Ａの加振力を発生する。
また、回転軸２４Ｌ２を時計方向へ回転させると、図５（ａ）に示すように、第２偏心変位錘２８Ｌ２は第２ストッパ２７Ｌ２に衝合して第２偏心錘２５Ｌ２とともに回転し、図６の曲線Ｃの加振力を発生する。
また、回転軸２４Ｒ１を反時計方向へ回転させると、図５（ａ）に示すように、第１偏心変位錘２８Ｒ１は第１ストッパ２７Ｒ１に衝合して第１偏心錘２５Ｒ１とともに回転し、図６の曲線Ａの加振力を発生する。
また、回転軸２４Ｒ２を反時計方向へ回転させると、図５（ａ）に示すように、第２偏心変位錘２８Ｒ２は第２ストッパ２７Ｒ２に衝合して第２偏心錘２５Ｒ２とともに回転し、図６の曲線Ｃの加振力を発生する。
【００１５】
図５（ａ）に示すように、回転軸２４Ｌ１と回転軸２４Ｒ１とを互いに反対方向へ回転させるとともに、回転軸２４Ｌ１と回転軸２４Ｒ１とをほぼ同じ回転数で回転させると、第１偏心錘２５Ｌ１と第１偏心変位錘２８Ｌ１との合成加振力と、第１偏心錘２５Ｒ１と第１偏心変位錘２８Ｒ１との合成加振力とが同じに設定されているので、前述したように、回転軸２４Ｌ１と回転軸２４Ｒ１とは同期して回転し、図６の曲線Ａの２倍の加振力を発生する。
また、図５（ａ）に示すように、回転軸２４Ｌ２と回転軸２４Ｒ２とを互いに反対方向へ回転させるとともに、回転軸２４Ｌ２と回転軸２４Ｒ２とをほぼ同じ回転数で回転させると、第２偏心錘２５Ｌ２と第２偏心変位錘２８Ｌ２との合成加振力と、第２偏心錘２５Ｒ２と第１偏心変位錘２８Ｒ２との合成加振力とが同じに設定されているので、前述したように、回転軸２４Ｌ２と回転軸２４Ｒ２とは同期して回転し、図６の曲線Ｃの２倍の加振力を発生する。
【００１６】
このように回転軸２４Ｌ１，２４Ｒ１が同期して回転するとともに、回転軸２４Ｌ２，２４Ｒ２が同期して回転すると、図６の曲線Ａの２倍の加振力と、図６の曲線Ｃの２倍の加振力とを合成した合成加振力により、振動テーブル１７が振動する。
【００１７】
また、図５（ｂ）に示すように、駆動機構３１ＬＦで回転軸２４Ｌ２を反時計方向へ回転させ、駆動機構３１ＬＢで回転軸２４Ｌ１を反時計方向へ回転させるとともに、駆動機構３１ＲＦで回転軸２４Ｒ２を時計方向へ回転させ、駆動機構３１ＲＢで回転軸２４Ｒ１を時計方向へ回転させる。
そして、回転軸２４Ｌ１と回転軸２４Ｒ１とをほぼ同じ回転数で回転させるとともに、回転軸２４Ｌ２と回転軸２４Ｒ２とをほぼ同じ回転数で回転させる。
【００１８】
このように回転軸２４Ｌ１を反時計方向へ回転させると、図５（ｂ）に示すように、第１偏心変位錘２８Ｌ１は第１ストッパ２７Ｌ１に衝合して第１偏心錘２５Ｌ１とともに回転し、図６の曲線Ｂの加振力を発生する。
また、回転軸２４Ｌ２を反時計方向へ回転させると、図５（ｂ）に示すように、第２偏心変位錘２８Ｌ２は第２ストッパ２７Ｌ２に衝合して第２偏心錘２５Ｌ２とともに回転し、図６の曲線Ｄの加振力を発生する。
また、回転軸２４Ｒ１を時計方向へ回転させると、図５（ｂ）に示すように、第１偏心変位錘２８Ｒ１は第１ストッパ２７Ｒ１に衝合して第１偏心錘２５Ｒ１とともに回転し、図６の曲線Ｂの加振力を発生する。
また、回転軸２４Ｒ２を時計方向へ回転させると、図５（ｂ）に示すように、第２偏心変位錘２８Ｒ２は第２ストッパ２７Ｒ２に衝合して第２偏心錘２５Ｒ２とともに回転し、図６の曲線Ｄの加振力を発生する。
【００１９】
図５（ｂ）に示すように、回転軸２４Ｌ１と回転軸２４Ｒ１とを互いに反対方向へ回転させるとともに、回転軸２４Ｌ１と回転軸２４Ｒ１とをほぼ同じ回転数で回転させると、第１偏心錘２５Ｌ１と第１偏心変位錘２８Ｌ１との合成加振力と、第１偏心錘２５Ｒ１と第１偏心変位錘２８Ｒ１との合成加振力とが同じに設定されているので、公知のように、回転軸２４Ｌ１と回転軸２４Ｒ１とは同期して回転し、図６の曲線Ｂの２倍の加振力を発生する。
また、図５（ｂ）に示すように、回転軸２４Ｌ２と回転軸２４Ｒ２とを互いに反対方向へ回転させるとともに、回転軸２４Ｌ２と回転軸２４Ｒ２とをほぼ同じ回転数で回転させると、第２偏心錘２５Ｌ２と第２偏心変位錘２８Ｌ２との合成加振力と、第２偏心錘２５Ｒ２と第１偏心変位錘２８Ｒ２との合成加振力とが同じに設定されているので、公知のように、回転軸２４Ｌ２と回転軸２４Ｒ２とは同期して回転し、図６の曲線Ｄの２倍の加振力を発生する。
【００２０】
このように回転軸２４Ｌ１，２４Ｒ１が同期して回転するとともに、回転軸２４Ｌ２，２４Ｒ２が同期して回転すると、図６の曲線Ｂの２倍の加振力と、図６の曲線Ｄの２倍の加振力とを合成した合成加振力により、振動テーブル１７が振動する。
【００２１】
さらに、図５（ａ）に示すように、駆動機構３１ＬＦで回転軸２４Ｌ２を時計方向へ回転させ、駆動機構３１ＲＦで回転軸２４Ｒ２を反時計方向へ回転させるとともに、図５（ｂ）に示すように、駆動機構３１ＬＢで回転軸２４Ｌ１を反時計方向へ回転させ、駆動機構３１ＲＢで回転軸２４Ｒ１を時計方向へ回転させると、または、図５（ｂ）に示すように、駆動機構３１ＬＦで回転軸２４Ｌ２を反時計方向へ回転させ、駆動機構３１ＲＦで回転軸２４Ｒ２を時計方向へ回転させるとともに、図５（ａ）に示すように、駆動機構３１ＬＢで回転軸２４Ｌ１を時計方向へ回転させ、駆動機構３１ＲＢで回転軸２４Ｒ１を反時計方向へ回転させる。
そして、回転軸２４Ｌ１と回転軸２４Ｒ１とをほぼ同じ回転数で回転させるとともに、回転軸２４Ｌ２と回転軸２４Ｒ２とをほぼ同じ回転数で回転させる。
【００２２】
このように各回転軸２４Ｌ１，２４Ｌ２，２４Ｒ１，２４Ｒ２を回転させると、回転軸２４Ｌ１と回転軸２４Ｒ１とは同期して回転し、図６の曲線Ａまたは曲線Ｂの２倍の加振力を発生し、回転軸２４Ｌ２と回転軸２４Ｒ２とは同期して回転し、図６の曲線Ｃまたは曲線Ｄの２倍の加振力を発生するので、図６の曲線Ａまたは曲線Ｂの２倍の加振力と、図６の曲線Ｃまたは曲線Ｄの２倍の加振力とを合成した合成加振力により、振動テーブル１７が振動する。
【００２３】
なお、回転軸２４Ｌ１，２４Ｒ１を同期させて回転させ、回転軸２４Ｌ２，２４Ｒ２を停止させることにより、図６の曲線Ａまたは曲線Ｂの２倍の加振力で振動テーブル１７を振動させることができる。
また、回転軸２４Ｌ１，２４Ｒ１を停止させ、回転軸２４Ｌ２，２４Ｒ２を同期させて回転させることにより、図６の曲線Ｃまたは曲線Ｄの２倍の加振力で振動テーブル１７を振動させることができる。
さらに、回転軸２４Ｌ１，２４Ｒ１を同期させて回転させるとともに、回転軸２４Ｌ２，２４Ｒ２を同期させて回転させ、回転軸２４Ｌ１，２４Ｒ１と回転軸２４Ｌ２，２４Ｒ２との回転数を調整することにより、低周波数から高周波数まで一定の加振力で振動テーブル１７を振動させることができる。
【００２４】
上述したように、この発明の一実施形態によれば、回転軸２４Ｌ１，２４Ｒ１を反対方向へほぼ同じ回転数（第１回転数）で回転させ、回転軸２４Ｌ２，２４Ｒ２を反対方向へ第１回転数と異なるほぼ同じ第２回転数で回転させることにより、同調機構を利用しなくとも回転軸２４Ｌ１と回転軸２４Ｒ１とが同期し、回転軸２４Ｌ２と回転軸２４Ｒ２とが同期するので、簡単な構成で所期の目的を達成することのできる振動装置となる。
そして、回転軸２４Ｌ１，２４Ｒ１の回転数と、回転軸２４Ｌ２，２４Ｒ２の回転数とを調整することにより、加振力および周波数を無段階に調整して振動テーブル１７を振動させることができる。
【００２５】
上記した実施形態において、２つの加振機構２１Ｌ，２１Ｒを別々のフレーム２２Ｌ，２２Ｒに各部品を取り付けて構成した例を示したが、１つのフレームに各部品を取り付けて構成してもよい。
そして、振動テーブル１７を振動させる場合、回転軸２４Ｌ１，２４Ｒ１または回転軸２４Ｌ２，２４Ｒ２を停止させると、停止させた回転軸２４Ｌ１，２４Ｒ１または回転軸２４Ｌ２，２４Ｒ２は、回転している回転軸２４Ｌ２，２４Ｒ２または回転軸２４Ｌ１，２４Ｒ１に取り付けた第１偏心錘２５Ｌ１，２５Ｒ１、第２偏心錘２５Ｌ２，２５Ｒ２、第１偏心変位錘２８Ｌ１，２８Ｒ１、第２偏心変位錘２８Ｌ２，２８Ｒ２の加振力によって移動し、回転軸２４Ｌ１，２４Ｒ１または回転軸２４Ｌ２，２４Ｒ２を回転可能に支持するベアリング２３を破損する虞があるので、回転軸２４Ｌ１，２４Ｒ１または回転軸２４Ｌ２，２４Ｒ２を、加振力に悪影響を与えない範囲で回転させるのが望ましい。
また、第１偏心変位錘２８Ｌ１，２８Ｒ１および第２偏心変位錘２８Ｌ２，２８Ｒ２を設けた例で説明したが、第１偏心変位錘２８Ｌ１，２８Ｒ１または第２偏心変位錘２８Ｌ２，２８Ｒ２を設けなくても同様に機能させることができ、また、第１偏心変位錘２８Ｌ１，２８Ｒ１および第２偏心変位錘２８Ｌ２，２８Ｒ２を設けなくても同様に機能させることができる。
【００２６】
さらに、第２偏心錘２５Ｌ２（第２偏心変位錘２８Ｌ２）と第２偏心錘２５Ｒ２（第２偏心変位錘２８Ｒ２）との間に第１偏心錘２５Ｌ１，２５Ｒ１（第１偏心変位錘２８Ｌ１，２８Ｒ１）を配置した例を示したが、第１偏心錘２５Ｌ１（第１偏心変位錘２８Ｌ１）と第１偏心錘２５Ｒ１（第１偏心変位錘２８Ｒ１）との間に第２偏心錘２５Ｌ２，２５Ｒ２（第２偏心変位錘２８Ｌ２，２８Ｒ２）を配置したり、または、第１偏心錘２５Ｌ１（第１偏心変位錘２８Ｌ１）、第２偏心錘２５Ｌ２（第２偏心変位錘２８Ｌ２）、第１偏心錘２５Ｒ１（第１偏心変位錘２８Ｒ１）、第２偏心錘２５Ｒ２（第２偏心変位錘２８Ｒ２）の順に配置しても、同様な効果を得ることができる。
しかしながら、第１偏心錘２５Ｌ１（第１偏心変位錘２８Ｌ１）と第１偏心錘２５Ｒ１（第１偏心変位錘２８Ｒ１）との間に第２偏心錘２５Ｌ２，２５Ｒ２（第２偏心変位錘２８Ｌ２，２８Ｒ２）を配置するのが、広い範囲の回転数において、対をなす回転軸が位相差１８０度の同期を起こさず、位相差０度の同期対称で回転するので、望ましい。
【００２７】
【発明の効果】
以上のように、この発明によれば、第１偏心錘を取り付けた２本の回転軸を反対方向へほぼ同じ回転数（第１回転数）で回転させ、第２偏心錘を取り付けた２本の回転軸を反対方向へ第１回転数と異なるほぼ同じ第２回転数で回転させることにより、同調機構を利用しなくとも第１偏心錘を取り付けた２本の回転軸が同期し、第２偏心錘を取り付けた２本の回転軸が同期するので、簡単な構成で所期の目的を達成することのできる振動装置となる。
【図面の簡単な説明】
【図１】この発明の振動装置の一実施形態を示す、振動テーブルを取り除いた状態の平面図である。
【図２】図１に示した振動装置の、支持フレーム、コイルスプリング、および駆動機構の一部を省略した正面図である。
【図３】図１に示した振動装置の、支持フレーム、コイルスプリングおよび駆動機構の一部を省略した右側面図である。
【図４】加振機構の構成を示す説明図である。
【図５】（ａ），（ｂ）は各偏心変位錘の変位状態を示す説明図である。
【図６】加振機構の加振力を示す図である。
【符号の説明】
１１Ｌ，１１Ｒ      ベースフレーム
１２                固定具
１３Ｆ，１３Ｂ      連結フレーム
１４ＬＦ，１４ＬＢ  支持フレーム
１４ＲＦ，１４ＲＢ  支持フレーム
１５ＬＦ，１５ＬＢ  固定台
１５ＲＦ，１５ＲＢ  固定台
１６                コイルスプリング（弾性体）
１７                振動テーブル
２１Ｌ，２１Ｒ      加振機構
２２Ｌ，２２Ｒ      フレーム
２３                ベアリング
２４Ｌ１，２４Ｌ２  回転軸
２４Ｒ１，２４Ｒ２  回転軸
２５Ｌ１，２５Ｒ１  第１偏心錘
２５Ｌ２，２５Ｒ２  第２偏心錘
２６Ｌ１，２６Ｒ１  第１仕切材
２６Ｌ２，２６Ｒ２  第２仕切材
２７Ｌ１，２７Ｒ１  第１ストッパ
２７Ｌ２，２７Ｒ２  第２ストッパ
２８Ｌ１，２８Ｒ１  第１偏心変位錘
２８Ｌ２，２８Ｒ２  第２偏心変位錘
２９Ｌ１，２９Ｌ２  プーリ
２９Ｒ１，２９Ｒ２  プーリ
３１ＬＦ，３１ＬＢ  駆動機構
３１ＲＦ，３１ＲＢ  駆動機構
３２ＬＦ，３２ＬＢ  モータ
３２ＲＦ，３２ＲＢ  モータ
３３ＬＦ，３３ＬＢ  プーリ
３３ＲＦ，３３ＲＢ  プーリ
３４ＬＦ，３４ＬＢ  ベルト
３４ＲＦ，３４ＲＢ  ベルト
Ｂ                  基礎
【図１】
0003696122.tif 000002
【図２】
0003696122.tif 000003
【図３】
0003696122.tif 000004
【図４】
0003696122.tif 000005
【図５】
0003696122.tif 000006
【図６】
0003696122.tif 000007